(57)【特許請求の範囲】
【請求項１】
４方向にチルトされ、４方向スイッチングの動作を実現するノブを備える４方向スイッチであって、
前記ノブがチルト可能に取り付けられている筐体と、
前記筐体の一面に所定の高さだけ突出して形成され、前記ノブのチルト動作時に前記ノブの下部面の一部と接触することにより前記ノブの下方への動きを制限するストッパーと、
前記ノブの下部面に所定の長さだけ突出して形成されているガイド突起と、
前記ガイド突起と対向するように前記筐体の一面に所定の高さだけ突出して形成され、
前記ガイド突起と係合する構造の凹部が設けられたガイド溝部と、を含み、
前記ストッパーは、第１のストッパーと、前記筐体の一面から突出した高さが前記第１のストッパーよりも高い第２のストッパーとを含み、
前記ノブの下部面には、前記第２のストッパーに係合する構造の凹部が設けられている
ことを特徴とする４方向スイッチ。
【請求項２】
前記ストッパーは、平面視にてスイッチング動作を実現する前記ノブの４方向の各々と所定の角度だけ離れた方向に１つずつ、総４つが配置される
ことを特徴とする請求項１に記載の４方向スイッチ。
【請求項３】
前記ストッパーは、平面視にて前記ノブのチルト中心軸を中心に、前記ノブの前記４方向とはそれぞれ４５°の角度を形成する位置に配置される
ことを特徴とする請求項２に記載の４方向スイッチ。
【請求項４】
前記ストッパーの突出した高さは、前記ノブがチルトされスイッチング動作が行われる際に、前記ノブの下部面と前記ストッパーの上部面が接触する高さである
ことを特徴とする請求項１に記載の４方向スイッチ。
【請求項５】
前記ストッパーの上部面には、所定の半径を有するラウンド形状の構造が形成されている
ことを特徴とする請求項１に記載の４方向スイッチ。
【請求項６】
前記ガイド突起は、所定の幅を有し、前記ノブが前記ストッパーの形成された方向にチルトされると、前記ガイド突起と前記ガイド溝部が干渉を起こし、前記ノブの下方への動きが制限される
ことを特徴とする請求項１に記載の４方向スイッチ。
【請求項７】
前記ガイド溝部に設けられた凹部は、前記ガイド突起が係合/分離できるように、上下方向に所定の長さだけ延長されたスリット構造を有する
ことを特徴とする請求項６に記載の４方向スイッチ。
【請求項８】
前記ガイド突起は、スイッチング動作を実現する前記ノブの４方向に対応する方向に各々１つずつ、総４つが配置される
ことを特徴とする請求項１に記載の４方向スイッチ。
【請求項９】
前記ガイド突起の下部面には、所定の半径を有するラウンド形状の構造が形成されている
ことを特徴とする請求項１に記載の４方向スイッチ。
【請求項１０】
前記ガイド溝部は、スイッチング動作を実現する前記ノブの４方向に対応する方向に各々１つずつ、総４つが配置される
ことを特徴とする請求項１に記載の４方向スイッチ。
【発明の詳細な説明】
【技術分野】
【０００１】
本発明は、誤作動防止構造を含む4方向スイッチであって、より詳細には、4方向スイッチのノブ(knob)の縁部を押した際に、２つのスイッチが同時に作動してしまう問題と、正確に4方向に作動しない問題を解決する4方向スイッチに関する。
【背景技術】
【０００２】
図1は、従来の4方向スイッチを示す斜視図である。【０００３】
もともと4方向スイッチの場合、縁部を押した際に、２つのスイッチが同時に押圧されて作動してしまう問題があった。その結果、正確に4方向に押圧されてのスイッチ動作が実現されない問題があった。【０００４】
ここに、図１に示されたように、上記問題点を解決するため、即ち、ノブ11の縁部を押した際に、２つのスイッチが押圧されて作動してしまうことを防止するため、筐体12の上部面に突起13が形成されている。【０００５】
上記突起13は、通称、ストッパー(stopper)と言われる。このような構造の突起13は、ノブ11の縁部が押圧された際に、スイッチがオンストローク(on stroke)に至るまで、ノブ11の動きを制限する。【０００６】
一方で、フルストローク(full stroke)の大きさに応じて突起１３の大きさは変わる。即ち、フルストローク(full stroke)が長ければ、突起13の高さは低くなる。突起13の高さが低いときに、ノブ11の縁部を押すと、オンストローク(on stroke)にまで押圧され、その結果、２つのスイッチが作動してしまい、上記の問題点は解決しなくなる。【０００７】
従って、従来技術の問題点を解決する4方向スイッチに関する技術が求められている。
【先行技術文献】
【特許文献】
【０００８】
【特許文献１】韓国公開特許第10-2004-0041760号公報(公開日：2004年5月20日)
【発明の概要】
【発明が解決しようとする課題】
【０００９】
本発明の目的は、4方向スイッチのノブの縁部を押した際に、２つのスイッチが同時に作動してしまう問題と、正確に4方向に作動しない問題を解決する構造を含む4方向スイッチを提供することである。
【課題を解決するための手段】
【００１０】
このような目的を達成するため、本発明の一側面による４方向スイッチは、4方向にチルトされ、4方向スイッチングの動作を実現するノブを備える4方向スイッチであって、前記ノブがチルト可能に取り付けられている筐体と、前記筐体の一面に所定の高さだけ突出して形成され、前記ノブのチルト動作時に前記ノブの下部面の一部と接触することにより前記ノブの下方への動きを制限するストッパーと、前記ノブの下部面に所定の長さだけ突出して形成されているガイド突起と、前記ガイド突起と対向するように前記筐体の一面に所定の高さだけ突出して形成され、前記ガイド突起と係合する構造の凹部が設けられたガイド溝部と、を含む。【００１１】
本発明の一実施例において、前記ストッパーは、平面視にてスイッチング動作を実現する前記ノブの４方向の各々と所定の角度だけ離れた方向に１つずつ、総４つが配置される。【００１２】
この場合、前記ストッパーは、例えば、平面視にて前記ノブのチルト中心軸を中心に、ノブの前記４方向とはそれぞれ45oの角度を形成する位置に配置される。【００１３】
また、前記ストッパーの突出した高さは、前記ノブがチルトされスイッチング動作が行われる際に、前記ノブの下部面と前記ストッパーの上部面が接触する高さである。【００１４】
本発明の一実施例において、前記ノブの下部面には、前記ストッパーと係合する構造の凹部が設けられる。【００１５】
本発明の一実施例において、前記ストッパーの上部面には、所定の半径を有するラウンド形状の構造が形成される。【００１６】
本発明の一実施例において、前記ガイド突起は、所定の幅を有し、前記ノブがストッパーの形成された方向にチルトされると、前記ガイド突起と前記ガイド溝部が干渉を起こし、前記ノブの下方への動きは制限される。【００１７】
この場合、前記ガイド溝部に設けられた凹部は、例えば、前記ガイド突起が係合/分離できるように、上下方向に所定の長さだけ延長されたスリット構造を有する。【００１８】
本発明の一実施例において、前記ガイド突起は、スイッチング動作を実現する前記ノブの４方向に対応する方向に各々１つずつ、総４つが配置される。【００１９】
本発明の一実施例において、前記ガイド突起の下部面には、所定の半径を有するラウンド形状の構造が形成される。【００２０】
本発明の一実施例において、前記ガイド溝部は、スイッチング動作を実現する前記ノブの４方向に対応する方向に各々１つずつ、総４つが配置される。
【発明の効果】
【００２１】
以上にて説明したように、本発明の４方向スイッチによると、特定の構造を有する、筐体、ストッパー、ガイド突起、及び、ガイド溝部を設けることにより、４方向スイッチのノブの縁部を押した際に、２つのスイッチが同時に作動してしまうことが防止できる。【００２２】
また、本発明の４方向スイッチによると、筐体の一面に所定の高さだけ突出して形成され、ノブのチルト動作時に前記ノブの下部面の一部と接触することにより前記ノブの下方への動きを制限するストッパーを設けることにより、ノブが、スイッチング動作が実現される４つのチルト方向でない縁部の方向へチルトされる場合、前記ノブの下方への動きが制限され、その結果、ノブのチルト動作により２つのスイッチが同時に作動してしまうことを防止できる。【００２３】
また、本発明の４方向スイッチによると、特定の位置にストッパーを配置し、該ストッパーを特定の高さに突出形成させることにより、ノブが、スイッチング動作が実現される４つのチルト方向でない縁部の方向へチルトされる場合、前記ノブの下方への動きが効果的に制限され、その結果、ノブのチルト動作により２つのスイッチが同時に作動してしまうことを防止できる。【００２４】
また、本発明の４方向スイッチによると、特定の位置にガイド突起とガイド溝部を配置することにより、ノブが、スイッチング動作が実現される４つのチルト方向でない縁部の方向へチルトされる場合、前記ノブの下方への動きが効果的に制限され、その結果、ノブのチルト動作により２つのスイッチが同時に作動してしまうことを防止できる。【００２５】
また、本発明の４方向スイッチによると、特定の構造を有するガイド突起とガイド溝部を設けることにより、ノブが、スイッチング動作が実現される４つのチルト方向に押圧される場合、前記ノブのチルト動作をスイッチの動作する正確な方向へガイドし、その結果、４方向チルトスイッチングの動作を正確に実現することができる。
【図面の簡単な説明】
【００２６】
【図１】従来技術による4方向スイッチを示す斜視図である。
【図２】本発明の一実施例による4方向スイッチを示す分解図である。
【図３】本発明の一実施例による4方向スイッチの一部分を拡大して示した斜視図である。
【図４】図3にて示された4方向スイッチのストッパー、ガイド突起、及びガイド溝部が形成される位置を示す平面透視図である。
【図５】ノブがストッパーの形成された方向にチルトされる動作を示す斜視図である。
【図６】図５に示されたものをガイド突起が形成される方向から見た斜視図である。
【発明を実施するための形態】
【００２７】
以下に、本発明の実施例を添付の図面を用いて詳細に説明する。
【００２８】
まず、本明細書や特許請求の範囲において使用される用語等は、通常の意味、若しくは、辞書的な意味に限らず、本発明の技術的思想に相応しい意味として解釈されなければならない。
【００２９】
なお、本明細書等において、ある部材が他の部材「上」に設けられるとした場合、これには、ある部材が他の部材に接している場合だけでなく、両部材の間にまた他の部材が存在する場合も含まれる。また、本明細書等において、ある部材がある構成要素を「含む」とした場合、これには、相反する記載がない限り、他の構成要素を排除することではなく、他の構成要素を更に含む場合が含まれる。
【００３０】
図２は、本発明の一実施例による4方向スイッチを示す分解図である。図３は、本発明の一実施例において、ノブがストッパーの形成された方向にチルトされた際における4方向スイッチの一部分を拡大して示した斜視図である。また、図４は、図3にて示された4方向スイッチのストッパー、ガイド突起、及びガイド溝部が形成される位置を示す平面透視図である。
【００３１】
これらの図面を参照すると、本実施例に係る4方向スイッチ100は、4方向にチルトされ、4方向スイッチングの動作を実現するノブ101を備える4方向スイッチであって、特定の構造を有する、筐体110、ストッパー120、ガイド突起130、及び、ガイド溝部140を含む。
【００３２】
本実施例に係る4方向スイッチ100は、図２に示されたように、筐体110の内部に取り付けられてスイッチング動作を実現するマウント106（mount）、ラバー105（rubber）、アクチュエータ104（actuator）、及びホルダ103（holder）を更に含むことができる。また、ノブ101を介して光を外部へ出力できるように、光ガイド102（light guide）が更に設けられて良い。
【００３３】
上記構成を含む本実施例に係る4方向スイッチ100は、特定の構造を有する筐体110、ストッパー120、ガイド突起130、及び、ガイド溝部140を備えることにより、4方向スイッチのノブの縁部を押した際に、２つのスイッチが同時に作動してしまうことを防止できる。
【００３４】
以下では、図面を参照しつつ、本実施例に係る4方向スイッチ100を構成する各構成について詳細に説明する。
【００３５】
図３に示されたように、ノブ101がチルト可能に取り付けられた筐体110の上部の一面には、ストッパー120が所定の高さだけ突出して形成されている。
【００３６】
本実施例に係るストッパー120は、ノブ101のチルト動作時に、ノブ101の下部面の一部と接触し、ノブ101の下方への動きを制限する。
【００３７】
具体的に、ストッパー120は、平面視にてスイッチングの動作を実現するノブ101の４方向の各々と所定の角度だけ離れた方向に１つずつ、総４つが配置される。好ましくは、図４に示されたように、ストッパー120は、平面視にてノブ101のチルト中心軸Ｃを中心に、ノブ101の前記４方向とはそれぞれθ＝45oの角度を形成する位置に配置される。
【００３８】
より具体的に、ストッパー120の突出した高さは、図５に示されたように、ノブ101がチルトされスイッチング動作が行われる際に、ノブ101の下部面とストッパー120の上部面が接触する高さであることが好ましい。
【００３９】
また、図６に示されたように、ストッパー122の高さを更に高くし、且つ、ノブ101の下部面に、ストッパー122と係合する構造の凹部107を設けても良い。
【００４０】
この際、図６に示されたように、スイッチング動作を実現しないノブ101のチルト方向に押圧された場合、即ち、ノブ101の縁部が押圧された場合、ストッパー122と凹部107が干渉を起こし、ノブ101のチルト動作は制限される。その結果、高さを更に高くしたストッパー122と、ノブ101の下部面に設けられた凹部107が、ノブ101の誤った方向へのチルト動作を制限することにより、２つのスイッチが同時に作動してしまう問題点は根本的に解決される。
【００４１】
なお、図３及び図６に示されたように、ストッパー120,122の上部面には、所定の半径を有するラウンド形状の構造121,123が形成されて良い。
【００４２】
この場合、ノブ101の下部面と、ストッパー120,122の上部面がスムーズに接触しつつ、ノブ101の下方への動きが制限される。
【００４３】
一方で、ノブ101の下部面には、ガイド突起130が所定の長さだけ突出して形成される。
【００４４】
この場合、筐体110の一面には、ガイド溝部140が、ガイド突起130と対向するように所定の高さだけ突出して形成される。より具体的に、ガイド溝部140の内部には、ガイド突起130と係合する構造の凹部141が設けられる。
【００４５】
具体的に、本実施例に係るガイド突起130は、所定の幅を有する。ここで、図６に示されたように、ノブ110がストッパー120の形成された方向にチルトされると、ガイド突起130とガイド溝部140が干渉を起こし、ノブ101の下方への動きが制限される。
【００４６】
より具体的に、ガイド突起130は、図4に示されたように、スイッチング動作を実現するノブ101の４方向に対応する方向に各々１つずつ、総４つが配置されることが好ましい。また、ガイド突起130の下部面には、所定の半径を有するラウンド形状の構造131が形成されることが更に好ましい。
【００４７】
なお、ガイド溝部140に設けられる凹部141は、図6に示されたように、ガイド突起130が係合/分離できるように、上下方向に所定の長さだけ延長されたスリット構造からなることが好ましい。
【００４８】
また、本実施例に係るガイド溝部140は、図4に示されたノブ101の4方向（up,down,left,right）に対応する方向に各々１つずつ、総４つが配置されることが好ましい。
【００４９】
以上にて説明したように、本発明の4方向スイッチ100によると、特定の構造を有する筐体110、ストッパー120,122、ガイド突起130、及びガイド溝部140を備えることにより、4方向スイッチのノブの縁部を押した際に、２つのスイッチが同時に作動してしまうことを防止できる。
【００５０】
また、本発明の4方向スイッチ100によると、筐体110の一面に所定の高さだけ突出して形成され、ノブ101のチルト動作時にノブ101の下部面の一部と接触することによりノブ101の下方への動きを制限するストッパー120を設けることにより、ノブ101が、スイッチング動作を実現する４つのチルト方向でない縁部の方向へチルトされる場合、ノブ101の下方への動きが制限され、その結果、ノブ101のチルト動作により２つのスイッチが同時に作動してしまうことを防止できる。
【００５１】
また、本発明の4方向スイッチ100によると、特定の位置にストッパー120を配置し、該ストッパー120を特定の高さに突出形成させることにより、ノブ101が、スイッチング動作を実現する４つのチルト方向でない縁部の方向へチルトされる場合、ノブ101の下方への動きが効果的に制限され、その結果、ノブ101のチルト動作により２つのスイッチが同時に作動してしまうことを防止できる。
【００５２】
また、本発明の4方向スイッチ100によると、特定の位置にガイド突起130とガイド溝部140を配置することにより、ノブ101が、スイッチング動作を実現する４つのチルト方向でない縁部の方向へチルトされる場合、ノブ101の下方への動きが効果的に制限され、その結果、ノブ101のチルト動作により２つのスイッチが同時に作動してしまうことを防止できる。
【００５３】
また、本発明の4方向スイッチ100によると、特定の構造を有するガイド突起130とガイド溝部140を設けることにより、ノブ101が、スイッチング動作を実現する４つのチルト方向に押圧される場合、ノブ101のチルト動作をスイッチの動作する正確な方向へガイドし、その結果、４方向チルトスイッチングの動作を正確に実現することができる。
【００５４】
以上、本発明を実施例に基づいて説明したが、本発明は上記実施例に限定されるものではなく、特許請求の範囲に記載の範囲内で様々な変形が可能である。
【００５５】
本願は、韓国特許庁に2017年2月8日に出願された基礎出願10-2017-0017310号の優先権を主張するものであり、その全内容を参照によりここに援用する。
【符号の説明】
【００５６】
10                従来の４方向スイッチ
11                ノブ
12                筐体
13                突起
Ｃ                ノブのチルト中心軸
100                ４方向スイッチ
101                ノブ
102                光ガイド
103                ホルダ
104                アクチュエータ
105                ラバー
106                マウント
107                凹部
110                筐体
120                ストッパー
121                ラウンド形状の構造
122                ストッパー
123                ラウンド形状の構造
130                ガイド突起
131                ラウンド形状の構造
140                ガイド溝部
141                凹部
【図１】
0006757806.tif 000002
【図２】
0006757806.tif 000003
【図３】
0006757806.tif 000004
【図４】
0006757806.tif 000005
【図５】
0006757806.tif 000006
【図６】
0006757806.tif 000007